(57)【要約】【課題】ＳＤカードにアンテナケーブルを接続することに起因してＳＤカードがコネクタから外れるのを防止することができるＳＤカード保持構造を提供する。【解決手段】本発明のＳＤカード保持構造１は、筐体内に配置された基板２上に設けられ、ＳＤカード３の裏面３ｄを基板２に対向させた状態でＳＤカード３の長手方向他端部が接続されるコネクタ１１と、ＳＤカード３の長手方向一端部側に配置され、ＳＤカード３がコネクタ１１に接続された状態から外れる方向に移動するのを規制する保持手段１２とを備えている。【選択図】図１
2014032809.tif 000002
【特許請求の範囲】
【請求項１】
長手方向一端部にアンテナケーブルが接続される端子を有するＳＤカードを筐体に内蔵した状態で保持するＳＤカード保持構造であって、
前記筐体内に配置された基板上に設けられ、前記ＳＤカードの一面を前記基板に対向させた状態で当該ＳＤカードの長手方向他端部が接続されるコネクタと、
前記ＳＤカードの長手方向一端部側に配置され、当該ＳＤカードが前記コネクタに接続された状態から外れる方向に移動するのを規制する保持手段と、を備えていることを特徴とするＳＤカード保持構造。
【請求項２】
前記保持手段は、前記基板上に設けられるとともに、前記ＳＤカードの長手方向一端面が無理嵌めされる主嵌合部を備えている請求項１に記載のＳＤカード保持構造。
【請求項３】
前記筐体は、前記基板の上側を覆う蓋部材を有し、
前記保持手段は、前記蓋部材の下面に突設されるとともに、前記主嵌合部に無理嵌めされた前記ＳＤカードの他面を押さえる押さえ部をさらに備えている請求項２に記載のＳＤカード保持構造。
【請求項４】
前記保持手段は、前記基板上に設けられるとともに、前記ＳＤカードの短手方向両端面が無理嵌めされる一対の補助嵌合部をさらに備えている請求項２又は３に記載のＳＤカード保持構造。
【請求項５】
前記保持手段は、前記基板上に設けられるとともにボルト孔を有する固定部と、
前記ＳＤカードを厚み方向に貫通して前記固定部のボルト孔に螺合されるボルトと、を備えている請求項１に記載のＳＤカード保持構造。
【請求項６】
前記筐体は、前記基板の上側を覆う蓋部材を有し、
前記保持手段は、前記蓋部材の下面に突設された突起部と、前記ＳＤカードに形成されるとともに前記突起部が係脱自在に係合する孔部又は凹部と、を備えている請求項１に記載のＳＤカード保持構造。
【発明の詳細な説明】
【技術分野】
【０００１】
本発明は、ＳＤカード保持構造に関する。
【背景技術】
【０００２】
タブレットＰＣやノートＰＣ等の筐体に内蔵されるＷｉＭＡＸ等の無線通信モジュールとして、アンテナケーブルが接続される端子を備えたＰＣＩｅ（ＰＣＩ  ｅｘｐｒｅｓｓ）  Ｍｉｎｉカードを用いるものが知られている（例えば、非特許文献１参照）。このＰＣＩｅ  Ｍｉｎｉカードは、その一面を筐体内に配置された基板に対向させた状態で、当該基板上に設けられたコネクタに接続されることにより、その実装高さが低く抑えられるようになっている。
【先行技術文献】
【非特許文献】
【０００３】
【非特許文献１】PCI Express Mini Card Electromechanical Specification Revision 1.2, October 26, 2007
【発明の概要】
【発明が解決しようとする課題】
【０００４】
この種の通信モジュールにあっては、近年、タブレットＰＣの薄型化等に伴い、実装高さをさらに低く抑えることが要望されている。この要望に応えるものとして、アンテナケーブルが接続される端子を備えたＳＤカードを用いることが検討されている。しかし、ＳＤカードを用いた場合、基板上のコネクタにＳＤカードを接続した際に、ＳＤカードに対するコネクタの保持力が、ＰＣＩｅ  Ｍｉｎｉカードを保持する場合に比べて弱くなる。このため、筐体内におけるアンテナケーブルの配線の仕方によっては、コネクタにＳＤカードを接続した状態で、ＳＤカードの端子にアンテナケーブルを接続したときに、ＳＤカードがアンテナケーブルに引っ張られてコネクタから外れてしまうおそれがある。
【０００５】
本発明は、このような実情に鑑み、ＳＤカードにアンテナケーブルを接続することに起因してＳＤカードがコネクタから外れるのを防止することができるＳＤカード保持構造を提供することを目的としている。
【課題を解決するための手段】
【０００６】
（１）本発明のＳＤカード保持構造は、長手方向一端部にアンテナケーブルが接続される端子を有するＳＤカードを筐体に内蔵した状態で保持するＳＤカード保持構造であって、前記筐体内に配置された基板上に設けられ、前記ＳＤカードの一面を前記基板に対向させた状態で当該ＳＤカードの長手方向他端部が接続されるコネクタと、前記ＳＤカードの長手方向一端部側に配置され、当該ＳＤカードが前記コネクタに接続された状態から外れる方向に移動するのを規制する保持手段と、を備えていることを特徴とする。
【０００７】
本発明によれば、ＳＤカードの長手方向他端部がコネクタに接続された状態において、ＳＤカードの長手方向一端部側に配置された保持手段により、ＳＤカードがコネクタから外れる方向に移動するのを規制することができる。これにより、ＳＤカードの端子にアンテナケーブルを接続しても、ＳＤカードがコネクタから外れるのを防止することができる。
【０００８】
（２）前記保持手段は、前記基板上に設けられるとともに、前記ＳＤカードの長手方向一端面が無理嵌めされる主嵌合部を備えていることが好ましい。
この場合、ＳＤカードの長手方向一端面を主嵌合部に無理嵌めすることで、ＳＤカードがコネクタから外れる方向に移動するのを規制することができるため、簡単な構成によってＳＤカードが外れるのを防止することができる。
【０００９】
（３）前記筐体は、前記基板の上側を覆う蓋部材を有し、前記保持手段は、前記蓋部材の下面に突設されるとともに、前記主嵌合部に無理嵌めされた前記ＳＤカードの他面を押さえる押さえ部をさらに備えていることが好ましい。
この場合、蓋部材により基板の上側を覆うことで、蓋部材の下面に突設された押さえ部により主嵌合部に無理嵌めされたＳＤカードの他面を押さえることができる。これにより、コネクタに接続されたＳＤカードの長手方向一端部が、アンテナケーブルに引っ張られて持ち上げられるのを防止することができる。
【００１０】
（４）前記保持手段は、前記基板上に設けられるとともに、前記ＳＤカードの短手方向両端面が無理嵌めされる一対の補助嵌合部をさらに備えていることが好ましい。
この場合、ＳＤカードの短手方向両端面を補助嵌合部に無理嵌めすることで、ＳＤカードが短手方向に移動するのを規制することができる。これにより、コネクタに接続されたＳＤカードの長手方向一端部が、アンテナケーブルに引っ張られて短手方向に傾くのを防止することができる。
【００１１】
（５）前記保持手段は、前記基板上に設けられるとともにボルト孔を有する固定部と、前記ＳＤカードを厚み方向に貫通して前記固定部のボルト孔に螺合されるボルトと、を備えていることが好ましい。
この場合、ボルトをＳＤカードの厚み方向に貫通して固定部のボルト孔に螺合することで、ＳＤカードを基板上の固定部に固定することができる。これにより、コネクタに接続されたＳＤカードが、その長手方向、短手方向及び上下方向に移動するのを規制することができるため、ＳＤカードがコネクタから外れるのを効果的に防止することができる。
【００１２】
（６）前記筐体は、前記基板の上側を覆う蓋部材を有し、前記保持手段は、前記蓋部材の下面に突設された突起部と、前記ＳＤカードに形成されるとともに前記突起部が係脱自在に係合する孔部又は凹部と、を備えていることが好ましい。
この場合、蓋部材により基板の上側を覆うことで、蓋部材側の突起部がＳＤカードの孔部又は凹部に係合するため、コネクタに接続されたＳＤカードが蓋部材に対して移動するのを規制することができる。これにより、ＳＤカードがコネクタから外れるのを効果的に防止することができる。
【発明の効果】
【００１３】
本発明によれば、ＳＤカードにアンテナケーブルを接続することに起因してＳＤカードがコネクタから外れるのを防止することができる。
【図面の簡単な説明】
【００１４】
【図１】本発明の第１の実施形態に係るＳＤカード保持構造を示す断面図である。
【図２】ＳＤカードを示す斜視図である。
【図３】本発明の第２の実施形態に係るＳＤカード保持構造を示す断面図である。
【図４】（ａ）は本発明の第３の実施形態に係るＳＤカード保持構造を示す断面図であり、（ｂ）は（ａ）のＡ−Ａ端面図である。
【図５】本発明の第４の実施形態に係るＳＤカード保持構造を示す断面図である。
【図６】本発明の第５の実施形態に係るＳＤカード保持構造を示す断面図である。
【発明を実施するための形態】
【００１５】
以下、本発明の実施の形態を図面に基づいて説明する。
図１は、本発明の第１の実施形態に係るＳＤカード保持構造を示している。また、図２は、ＳＤカードを示す斜視図である。図１において、ＳＤカード保持構造１は、例えば、タブレットＰＣの筐体（図示省略）に、ＷｉＭＡＸの無線通信モジュールとして用いられるＳＤカード３を内蔵した状態で保持するものである。なお、無線通信モジュールは、ＷｉＭＡＸ以外にブルートゥース（Bluetooth：登録商標）等の他の無線通信方式を用いてもよい。
【００１６】
図１及び図２において、ＳＤカード３は、ＳＤＩＯ規格に準拠して矩形板状に形成されており、その長手方向一端部には、標準のＳＤカードよりも長手方向の寸法が所定長さ（約１０ｍｍ）だけ長くなるように、延長部３ａが形成されている。この延長部３ａの表面（他面）３ｂ側には、一対のアンテナケーブル４の各端部に設けられた雄端子４ａがそれぞれ接続される一対の雌端子３ｃが取り付けられている。雄端子４ａ及び雌端子３ｃは、例えば、小型同軸コネクタであるＵ．ＦＬコネクタ（ヒロセ電機製）の雄端子及び雌端子からなる。
【００１７】
また、図２（ｂ）に示すように、ＳＤカード３の裏面（一面）３ｄの長手方向他端部には、矩形状の複数の端子３ｅが設けられている。この端子３ｅは、ＳＤＩＯ規格に準拠してＳＤカード３の短手方向に９固配置されており、後述するコネクタ１１の端子（図示省略）に接続される。
【００１８】
図１において、ＳＤカード保持構造１は、筐体内に配置された基板２上に設けられたコネクタ１１と保持手段１２とを備えている。コネクタ１１は、ＳＤＩＯ規格に準拠して箱型に形成されており、その開口１１ａを図中の左側に向けた状態で基板２上に固定されている。コネクタ１１には、ＳＤカード３の裏面３ｄを基板２に対向させた状態で、当該ＳＤカード３の長手方向他端部が開口１１ａから挿入されるようになっている。これにより、ＳＤカード３の長手方向他端部は、コネクタ１１に着脱可能に接続された状態で保持される。
【００１９】
保持手段１２は、ＳＤカード３をコネクタ１１に接続した状態で、ＳＤカード３の長手方向一端部側に配置されている。本実施形態の保持手段１２は、基板２上に固定された主嵌合部１３により構成されている。主嵌合部１３の上側には、段差部１３ａが形成されており、この段差部１３ａの鉛直面１３ａ１に、ＳＤカード３の長手方向一端面３ｆが無理嵌めされるようになっている。また、段差部１３ａの水平面１３ａ２には、ＳＤカード３の裏面３ｄが載置されるようになっている。これにより、ＳＤカード３の長手方向一端部が保持されるとともに、ＳＤカード３がコネクタ１１に接続された状態から外れる方向（図中左側）に移動するのを規制することができる。
【００２０】
以上、本実施形態に係るＳＤカード保持構造１によれば、ＳＤカード３の長手方向他端部がコネクタ１１に接続された状態において、ＳＤカード３の長手方向一端部側に配置された保持手段１２により、ＳＤカード３がコネクタ１１から外れる方向に移動するのを規制することができる。これにより、ＳＤカード３の雌端子３ｃにアンテナケーブル４の雄端子４ａを接続しても、ＳＤカード３がコネクタ１１から外れるのを防止することができる。
【００２１】
また、ＳＤカード３の長手方向一端面３ｆを主嵌合部１３の段差部１３ａに無理嵌めすることで、ＳＤカード３がコネクタ１１から外れる方向に移動するのを規制することができるため、簡単な構成によってＳＤカード３が外れるのを防止することができる。
【００２２】
図３は、本発明の第２の実施形態に係るＳＤカード保持構造を示している。図３において、本実施形態のＳＤカード保持構造１は、第１の実施形態における保持手段１２に、ＳＤカード３を上側から押さえる部材を追加したものである。具体的には、本実施形態における保持手段１２は、主嵌合部１３に無理嵌めされたＳＤカード３の表面３ｂを上側から押さえる押さえ部１４をさらに備えている。
【００２３】
押さえ部１４は、基板２の上側を覆う筐体の蓋部材５の下面に突設されており、蓋部材５により基板２を覆うことで、押さえ部１４の下面がＳＤカード３における長手方向一端部側の表面３ｂを押さえるようになっている。これにより、ＳＤカード３の長手方向一端部は、主嵌合部１３における段差部１３ａの水平面１３ａ２と押さえ部１４の下面とにより挟まれた状態となり、上下方向の移動が規制される。本実施形態のその他の構成については、第１の実施形態と同様であるため、その説明を省略する。なお、押さえ部１４は、蓋部材５に一体形成されていてもよい。
【００２４】
以上、本実施形態に係るＳＤカード保持構造１によれば、蓋部材５により基板２の上側を覆うことで、蓋部材５の下面に突設された押さえ部１４により主嵌合部１３に無理嵌めされたＳＤカード３の表面３ｂを押さえることができる。これにより、コネクタ１１に接続されたＳＤカード３の長手方向一端部が、アンテナケーブル４に引っ張られて持ち上げられるのを防止することができる。
【００２５】
図４は、本発明の第３の実施形態に係るＳＤカード保持構造を示している。図４において、本実施形態のＳＤカード保持構造１は、第１の実施形態における保持手段１２に、ＳＤカード３の短手方向の移動を規制する部材を追加したものである。具体的には、本実施形態における保持手段１２は、基板２上に固定された一対の補助嵌合部１５をさらに備えている。
【００２６】
補助嵌合部１５は、図４（ａ）に示すようにコネクタ１１と主嵌合部１３との間に配置されるとともに、図４（ｂ）に示すようにコネクタ１１に接続されたＳＤカード３の短手方向両側に配置されている。補助嵌合部１５は、主嵌合部１３と同様に構成されている。具体的には、補助嵌合部１５の上側には、段差部１５ａが形成されており、この段差部１５ａの鉛直面１５ａ１に、ＳＤカード３の短手方向両端面３ｇ，３ｈがそれぞれ無理嵌めされるようになっている。また、段差部１５ａの水平面１５ａ２には、ＳＤカード３の裏面３ｄが載置されるようになっている。これにより、ＳＤカード３が、コネクタ１１に接続されるとともに主嵌合部１３に無理嵌めされた状態から、短手方向に移動するのを規制することができる。本実施形態のその他の構成については、第１の実施形態と同様であるため、その説明を省略する。
【００２７】
以上、本実施形態に係るＳＤカード保持構造１によれば、ＳＤカード３の短手方向両端面３ｇ，３ｈを補助嵌合部１５に無理嵌めすることで、ＳＤカード３が短手方向に移動するのを規制することができる。これにより、コネクタ１１に接続されたＳＤカード３の長手方向一端部が、アンテナケーブル４に引っ張られて短手方向に傾くのを防止することができる。特に、コネクタ１１がＳＤカード３の短手方向両端面３ｇ，３ｈを覆う側壁を有していない場合に有効である。
【００２８】
図５は、本発明の第４の実施形態に係るＳＤカード保持構造を示している。図５において、本実施形態のＳＤカード保持構造１は、保持手段１２の構成が異なる点で第１の実施形態と相違する。本実施形態の保持手段１２は、基板２上に固定された固定部１６と、この固定部１６に螺合されるボルト１７とによって構成されている。
【００２９】
固定部１６は、その厚み方向に貫通して形成されたボルト孔１６ａを有し、固定部１６の上面には、ＳＤカード３をコネクタ１１に接続した状態で、ＳＤカード３の長手方向一端部側の裏面３ｄが載置されるようになっている。ＳＤカード３は、その長手方向一端部において厚み方向に貫通して形成された挿通孔３ｊを有している。
【００３０】
ボルト１７の軸部１７ａは、ＳＤカード３がコネクタ１１に接続された状態で、ＳＤカード３の挿通孔３ｊに上方から挿通され、固定部１６のボルト孔１６ａに螺合される。そして、ボルト１７を締め付けることで、ＳＤカード３の長手方向一端部は、ボルト１７の頭部１７ｂと固定部１６の上面との間に挟み込まれた状態で固定される。これにより、ＳＤカード３の長手方向一端部が保持されるとともに、ＳＤカード３が、コネクタ１１に接続された状態から、長手方向、短手方向及び上下方向に移動するのを規制することができる。本実施形態のその他の構成については、第１の実施形態と同様であるため、その説明を省略する。
【００３１】
以上、本実施形態に係るＳＤカード保持構造１によれば、ボルト１７をＳＤカード３の厚み方向に貫通して固定部１６のボルト孔１６ａに螺合することで、ＳＤカード３を基板２上の固定部１６に固定することができる。これにより、コネクタ１１に接続されたＳＤカード３が、その長手方向、短手方向及び上下方向に移動するのを規制することができるため、ＳＤカード３がコネクタ１１から外れるのを効果的に防止することができる。
【００３２】
図６は、本発明の第５の実施形態に係るＳＤカード保持構造を示している。図６において、本実施形態のＳＤカード保持構造１は、保持手段１２の構成が異なる点で第１の実施形態と相違する。本実施形態の保持手段１２は、突起部１８と、この突起部１８が係脱自在に係合する孔部１９とによって構成されている。
【００３３】
孔部１９は、ＳＤカード３の長手方向一端部においてその厚み方向に貫通して形成されている。また、基板２上には支持部２０が固定されており、この支持部２０の上面には、ＳＤカード３をコネクタ１１に接続した状態で、ＳＤカード３の裏面３ｄにおける孔部１９の開口周辺部が載置されるようになっている。
【００３４】
突起部１８は、基板２の上側を覆う筐体の蓋部材５の下面に突設されており、蓋部材５により基板２を覆うことで、突起部１８の先端部がＳＤカード３の孔部１９に上側から挿入される。これにより、突起部１８が孔部１９に係合されるため、ＳＤカード３の長手方向一端部が保持手段１２によって保持されるとともに、ＳＤカード３が、コネクタ１１に接続された状態から、蓋部材５に対して長手方向及び短手方向に移動するのを規制することができる。本実施形態のその他の構成については、第１の実施形態と同様であるため、その説明を省略する。なお、本実施形態におけるＳＤカード３には、孔部１９が形成されているが、凹部を形成するようにしてもよい。また、突起部１８は、蓋部材５に一体形成されていてもよい。
【００３５】
さらに、蓋部材５の突起部１８をＳＤカード３の孔部１９に挿入することでＳＤカード３の移動を規制する代わりに、蓋部材５を装着したときに、ＳＤカード３の長手方向一端面に突起部１８の側面が当接するように突起部１８を配置し、突起部１８でＳＤカード３の長手方向一端面を係止することでＳＤカード３の長手方向の移動を規制するようにしてもよい。その場合に、突起部１８を蓋部材５の下面から突出させずに、蓋部材５の側面からＳＤカード３と並行な方向に突起部１８を突出させ、突起部１８の突出端面でＳＤカード３の長手方向一端面を係止することでＳＤカードの長手方向の移動を規制することもできる。
【００３６】
以上、本実施形態に係るＳＤカード保持構造１によれば、蓋部材５により基板２の上側を覆うことで、蓋部材５側の突起部１８がＳＤカード３の孔部１９に係合するため、コネクタ１１に接続されたＳＤカード３が蓋部材５に対して移動するのを規制することができる。これにより、ＳＤカード３がコネクタ１１から外れるのを効果的に防止することができる。
【００３７】
今回開示された実施の形態はすべての点で例示であって制限的なものでないと考えられるべきである。本発明の範囲は、上記した意味ではなく、特許請求の範囲によって示され、特許請求の範囲と均等の意味、及び範囲内でのすべての変更が含まれることが意図される。
【００３８】
例えば、上記第１〜第３の実施形態における主嵌合部１３、及び第３の実施形態における補助嵌合部１５は、基板２と別部材で構成されているが、基板２に一体形成されていてもよい。
また、上記各実施形態におけるＳＤカード保持構造１は、ＳＤカード３の裏面３ｄを基板２に対向させた状態でコネクタ１１に接続しているが、ＳＤカード３の表面３ｂを基板２に対向させた状態でコネクタ１１に接続させるようにしてもよい。この場合、ＳＤカード３の表面３ｂがＳＤカード３の「一面」、ＳＤカード３の裏面３ｄがＳＤカード３の「他面」となる。
【符号の説明】
【００３９】
１      ＳＤカード保持構造
２      基板
３      ＳＤカード
３ｃ    雌端子（端子）
３ｄ    裏面（一面）
３ｂ    表面（他面）
４      アンテナケーブル
５      蓋部材
１１      コネクタ
１２      保持手段
１３      主嵌合部
１４      押さえ部
１５      補助嵌合部
１６      固定部
１６ａ    ボルト孔
１７      ボルト
１８      突起部
１９      孔部
【図１】
2014032809.tif 000003
【図２】
2014032809.tif 000004
【図３】
2014032809.tif 000005
【図４】
2014032809.tif 000006
【図５】
2014032809.tif 000007
【図６】
2014032809.tif 000008